(57)【要約】【課題】現像剤切れ検出時の新品貯蔵部交換に起因する地肌汚れや縦帯スジの発生を抑制できる現像剤補給制御システムを提供する。【解決手段】この画像形成装置に適用される現像剤補給制御システムでは、現像装置４内の残量検知手段である残量検知センサによる検知結果を受けた制御装置がトナーの残量に基づいて駆動機構の駆動量を調節し、トナーカートリッジ７から現像装置４へのトナー補給量を制御する。制御装置は、トナーカートリッジ７の交換により新たなトナーを現像装置４へ補給する際、古いトナーの残量が残量下限値から残量上限値までの間に新たなトナーの補給量をカウンタのカウント値に基づいて制御し、残量下限値が所定の回数続いたときには表示部を警告手段としてトナーカートリッジ７の新品交換を警告表示する指示を行う。【選択図】図１
2019032379.tif 000002
【特許請求の範囲】
【請求項１】
現像剤を貯蔵する貯蔵部と、前記貯蔵部から前記現像剤が補給される現像装置と、前記現像装置内の前記現像剤の残量を検知する残量検知手段と、前記残量検知手段で検知された前記現像剤の残量に基づいて前記貯蔵部から前記現像装置への当該現像剤の補給量を制御する制御手段と、を備えた現像剤補給制御システムであって、
前記現像剤の消費量をカウントするカウンタを備え、
前記制御手段は、前記貯蔵部の交換により新たな現像剤が前記現像装置へ補給されるとき、当該新たな現像剤の補給量を前記カウンタのカウント値に基づいて制御することを特徴とする現像剤補給制御システム。
【請求項２】
現像剤を貯蔵する貯蔵部と、前記貯蔵部から前記現像剤が補給される現像装置と、前記現像装置内の前記現像剤の残量を検知する残量検知手段と、前記残量検知手段で検知された前記現像剤の残量に基づいて前記貯蔵部から前記現像装置への当該現像剤の補給量を制御する制御手段と、を備えた現像剤補給制御システムであって、
前記制御手段は、前記貯蔵部の交換により新たな現像剤が前記現像装置へ補給されるとき、当該新たな現像剤を装置内の現像剤量が所定量に達するまで複数回に分けて補給することを特徴とする現像剤補給制御システム。
【請求項３】
請求項２記載の現像剤制御システムにおいて、
前記現像剤の消費量をカウントするカウンタを備え、前記現像剤の補給量を前記カウンタのカウンタ値に基づいて制御することを特徴とする現像剤補給制御システム。
【請求項４】
請求項１または３に記載の現像剤補給制御システムにおいて、
前記制御手段は、前記残量検知手段の予め設定した残量下限値及び残量上限値に応じて前記貯蔵部から前記現像装置への当該現像剤の補給量を制御することを特徴とする現像剤補給制御システム。
【請求項５】
請求項３記載の現像剤補給制御システムにおいて、
前記制御手段は、前記貯蔵部の交換により新たな現像剤が前記現像装置へ補給されるとき、当該新たな現像剤の補給量を前記カウンタのカウント値のみに基づいて段階的に制御することを特徴とする現像剤補給制御システム。
【請求項６】
請求項４記載の現像剤補給制御システムにおいて、
前記制御手段は、
前記貯蔵部の交換により新たな現像剤が前記現像装置へ補給されてから前記残量検知手段の前記残量上限値が検知されるまでの間は、当該新たな現像剤の補給量を前記カウンタのカウント値に基づき、
前記残量上限値が検知された後は、前記カウント値、及び、前記残量検知手段による検知状態に基づき、
前記貯蔵部から前記現像装置への当該現像剤の補給量を制御することを特徴とする現像剤補給制御システム。
【請求項７】
請求項４記載の現像剤補給制御システムにおいて、
前記貯蔵部の新品交換を警告する警告手段を備え、
前記制御手段は、前記残量下限値が所定の回数続いたときに前記警告手段へ指示して前記貯蔵部の新品交換を警告することを特徴とする現像剤補給制御システム。
【請求項８】
請求項４記載の現像剤補給制御システムにおいて、
前記制御手段は、前記現像剤の残量が前記残量下限値から前記残量上限値へ移行するまでの間に前記新たな現像剤の補給量を前記カウンタのカウント値よりも多く補給することを特徴とする現像剤補給制御システム。
【請求項９】
請求項４記載の現像剤補給制御システムにおいて、
前記制御手段は、前記貯蔵部の新品の検知状態から前記現像剤の残量が前記残量上限値へ移行するまでの間に前記新たな現像剤の補給量を前記カウンタのカウント値よりも多く補給することを特徴とする現像剤補給制御システム。
【請求項１０】
請求項４記載の現像剤補給制御システムにおいて、
前記カウンタは、
前記現像剤及び前記新たな現像剤を用いた画像形成に供される記録媒体の枚数をカウントする枚数カウンタ、又は
前記現像剤及び前記新たな現像剤を用いた画像形成に供される記録媒体を搬送する搬送機構における走行距離をカウントする走行距離カウンタ、又は
前記現像剤及び前記新たな現像剤を用いた画像形成時の画素数に対応するドット数をカウントするドットカウンタを含むことを特徴とする現像剤補給制御システム。
【請求項１１】
請求項４記載の現像剤補給制御システムにおいて、
前記制御手段は、前記現像剤の残量が前記残量上限値に至ると前記新たな現像剤の補給量を前記カウンタのカウント値よりも少なく補給することを特徴とする現像剤補給制御システム。
【請求項１２】
請求項４記載の現像剤補給制御システムにおいて、
前記制御手段は、前記現像剤の残量が前記残量上限値から前記残量下限値へ移行するまでの間に前記新たな現像剤の補給量を前記カウンタのカウント値よりも多く補給することを特徴とする現像剤補給制御システム。
【請求項１３】
請求項１乃至９のいずれか一項に記載の現像剤補給制御システムを備えたことを特徴とする画像形成装置。
【請求項１４】
現像剤を貯蔵する貯蔵部から当該現像剤を現像装置へ補給する際に制御手段が当該現像剤の補給量を制御可能な現像剤補給制御方法であって、
残量検出手段によって前記現像装置内の前記現像剤の残量を検出する残量検出ステップと、
カウンタによって前記現像剤の消費量をカウントするカウントステップと、
前記制御手段によって前記貯蔵部の交換により新たな現像剤が前記現像装置へ補給されるとき、当該新たな現像剤の補給量を前記カウンタのカウント値に基づいて制御する補給量制御ステップと、を有することを特徴とする現像剤補給制御方法。
【発明の詳細な説明】
【技術分野】
【０００１】
本発明は、現像剤補給制御システム、画像形成装置、及び現像剤補給制御方法に関する。
【背景技術】
【０００２】
従来、電子写真方式の画像形成装置は、大規模なオフィス環境だけでなく、ホームオフィスや一般ユーザ等の様々な分野で幅広く活用されている。こうした需要に適応した製品を提供するため、低コスト化、小型化、長寿命化、安定稼動化を具現し得る技術が要求されている。特に最近の状況では、画像形成装置の低ランニングコスト化が求められ、ユーザが交換する消耗品の低コスト化と長寿命化とが強く要求されている。長寿命化は部品交換周期を延長できることを示すものである。
【０００３】
係る事情により、この種の画像形成装置では、可能な限り現像装置を含む作像ユニット（所謂プロセスユニット）を長寿命化することで交換周期を長くし、低コスト化を図るようにしている。ところが、長寿命化を図ろうとすると、それだけ現像装置で保持すべき現像剤としてのトナーの量が増加するため、トナーの保持容量を確保しなければならない。この結果、現像装置や画像形成装置全体の大型化を招いてしまう。こうした問題を解決するため、最近ではトナーの貯蔵部と現像装置の作像部とを着脱自在に分離し、貯蔵部のみを短い周期で交換しつつ、貯蔵部から現像装置の作像部へトナーを補給する構成が採用される傾向にある。
【０００４】
ところが、こうした分離構成を採用しても、例えばトナー切れ検出時に貯蔵部のトナーカートリッジを交換した後、現像装置内のトナー重量が少ない中に新たなトナーが一斉補給されてしまうと、現像装置の規制部材でトナーを規制し切れなくなることがある。こうした場合には、トナー搬送量の過剰に起因して地肌汚れや縦帯スジが発生してしまう。
【０００５】
そこで、こうした問題を解決するため、トナーエンドリカバリ（トナー切れ回復）動作後も常に適正なトナー濃度を保って、地肌汚れ等の異常画像やトナー飛散の発生が抑制される「画像形成装置」（特許文献１参照）が挙げられる。
【発明の概要】
【発明が解決しようとする課題】
【０００６】
上述した特許文献１に係る技術では、２成分現像剤を収容する現像部（現像装置）に供給するトナーがなくなった状態を検知するトナーエンド検知手段を備える。また、トナーエンド検知手段によってトナーがなくなった状態を検知してからトナー容器が取出されて再びトナー容器が設置されるのを検知するまでの放置時間を検知する時間検知手段を備える。そこで、時間検知手段によって放置時間を検知し、その放置時間に基づいて再びトナー容器が設置されてから画像形成を復帰させるまでのタイミングを制御する。
【０００７】
ところが、特許文献１に係る技術によれば、トナーエンドリカバリ動作後のトナー濃度を安定化できるものの、トナーエンド検出時の新品のトナーカートリッジ交換後に新たなトナーが現像部（現像装置）内に一括補給されてしまう問題が対策されていない。この結果、トナー一括補給に起因する地肌汚れや縦帯スジの発生については十分に抑制できない。
【０００８】
本発明は、このような問題点を解決すべくなされたもので、その技術的課題は、新品貯蔵部交換に起因する地肌汚れや縦帯スジの発生を抑制することにある。
【課題を解決するための手段】
【０００９】
上記技術的課題を解決するため、本発明の一形態は、現像剤を貯蔵する貯蔵部と、貯蔵部から現像剤が補給される現像装置と、現像装置内の現像剤の残量を検知する残量検知手段と、残量検知手段で検知された現像剤の残量に基づいて貯蔵部から現像装置への当該現像剤の補給量を制御する制御手段と、を備えた現像剤補給制御システムであって、現像剤の消費量をカウントするカウンタを備え、制御手段は、貯蔵部の交換により新たな現像剤が現像装置へ補給されるとき、当該新たな現像剤の補給量をカウンタのカウント値に基づいて制御することを特徴とする。
【発明の効果】
【００１０】
本発明によれば、上記構成により、新品貯蔵部交換に起因する地肌汚れや縦帯スジの発生を抑制することができる。上記した以外の課題、構成及び効果は、以下の実施の形態の説明により明らかにされる。
【図面の簡単な説明】
【００１１】
【図１】本発明の実施の形態に係る現像剤補給制御システムを含む画像形成装置の概略構成を示す断面図である。
【図２】図１に示す画像形成装置における装置本体に対するプロセスユニットの着脱の様子を示した概略図である。
【図３】図１に示す画像形成装置に備えられる現像装置の概略構成を示した断面図である。
【図４】図３に示した現像装置の軸と直交する方向から見た概略図である。
【図５】図１に示す画像形成装置に備えられるトナーカートリッジの概略構成を示した断面図である。
【図６】図４で説明した現像装置に設けられた残量検知センサの概略構成を一部断面にして示した斜視図である。
【図７】図１に示す画像形成装置に備えられる制御装置によるトナー補給制御の概要を周知技術と対比して時間に対するトナー量の関係で示した特性図である。
【図８】図１に示す画像形成装置に備えられる制御装置によるトナー補給制御の動作処理を示すフローチャートである。
【図９】図８に示す動作処理に含まれる通常補給処理の細部を示すフローチャートである。
【発明を実施するための形態】
【００１２】
以下に、本発明の現像剤補給制御システム、画像形成装置、及び現像剤補給制御方法について、図面を参照して詳細に説明する。
【００１３】
図１は、本発明の実施の形態に係る現像剤補給制御システムを含む画像形成装置の概略構成を示す断面図である。
【００１４】
図１を参照すれば、この画像形成装置は、モノクロの画像形成用のもので、その装置本体１００には、作像ユニットとしてのプロセスユニット１が着脱可能に装着されている。このプロセスユニット１は、表面に画像を担持する像担持体としての感光体２と、感光体２の表面を帯電させる帯電手段としての帯電ローラ３と、感光体２上の潜像を可視画像化する現像手段としての現像装置４と、を備える。また、プロセスユニット１は、感光体２の表面をクリーニングするクリーニング手段としてのクリーニングブレード５を備える。更に、プロセスユニット１には、現像剤としてのトナーを貯蔵する貯蔵部のトナーカートリッジ７が着脱可能に設けられる。
【００１５】
トナーカートリッジ７は、その容器本体２２として、現像装置４へ補給するトナーを収容するトナー収容部８を有する他、クリーニングブレード５で除去された廃トナーを回収するトナー回収部９も一体的に有している。尚、本実施の形態では、現像剤として、キャリアを含まないトナーのみからなる一成分系の現像剤が使用されるものである。また、トナーとして、母体がポリエステル系樹脂であるポリエステル系のトナーが使用されるものとする。なお、本件発明をトナーとキャリアからなる二成分系の現像剤が使用される現像装置及び画像形成装置に適用することも可能である。二成分系の現像装置に本件発明を適用した場合、現像剤としてのトナーの残量をトナー残量検知手段により検知する。
【００１６】
また、画像形成装置には、感光体２に対向する位置にその感光体２の表面を露光する露光手段としての発光ダイオード（ＬＥＤ）ヘッドアレイ６が設けられる。画像形成装置は、プロセスユニット１の他、記録媒体の用紙Ｐに画像を転写する転写装置１０と、用紙Ｐを供給する給紙装置１１と、用紙Ｐに転写された画像を定着させる定着装置１２と、用紙Ｐを装置本体１００から外へ排出する排紙装置１３と、を備える。尚、用紙Ｐには、厚紙、葉書、封筒、普通紙、薄紙、コート紙やアート紙等の塗工紙、トレーシングペーパ等も含まれる。また、用紙Ｐ以外の記録媒体として、ＯＨＰシート等を用いることも可能である。
【００１７】
転写装置１０は、転写部材としての転写ローラ１４を備える。この転写ローラ１４は、プロセスユニット１を装置本体１００に装着した状態で感光体２と当接しており、両者の当接部において転写ニップ（接触）が形成される。また、転写ローラ１４は、所定の直流（ＤＣ）電圧か交流（ＡＣ）電圧の少なくとも一方が印加される。給紙装置１１は、用紙Ｐを収容した給紙カセット１５と、給紙カセット１５に収容されている用紙Ｐを給送する給紙ローラ１６と、を備える。また、給紙ローラ１６に対して用紙Ｐの搬送方向下流側には、搬送タイミングを計って用紙Ｐを二次転写ニップへ搬送するタイミングローラとしての一対のレジストローラ１７が設けられている。
【００１８】
定着装置１２は、定着部材としての定着ローラ１８と、加圧部材としての加圧ローラ１９と、を備える。定着ローラ１８は、ヒータ等の加熱源によって加熱される。加圧ローラ１９は、定着ローラ１８側へ加圧されて定着ローラ１８に当接し、その当接箇所において定着ニップが形成される。排紙装置１３は、一対の排紙ローラ２０を備える。排紙ローラ２０によって装置外に排出された用紙Ｐは、装置本体１００の上面を凹ませて形成された排紙トレイ２１上に積載される。因みに、トナーカートリッジ７、現像装置４、現像装置４内のトナーの残量を検知する残量検知手段、及び貯蔵部から現像装置４へのトナーの補給量を制御する制御手段を含む構成は、現像剤補給制御システムと呼ばれても良い。その細部構成や機能については、後文で説明する。
【００１９】
図２は、上述した画像形成装置における装置本体１００に対するプロセスユニット１の着脱の様子を示した概略図である。
【００２０】
図２を参照すれば、この画像形成装置では、装置本体１００の後部に設けられたカバー１０１が開閉可能となっている。また、カバー１０１を開状態にすると、リンク機構を介して発光ダイオードヘッドアレイ６が上方へ退避する。このような構成により、カバー１０１の開状態でプロセスユニット１を発光ダイオードヘッドアレイ６との干渉を回避しつつ後方（側方）から取り外すことが可能となっている。また、ここでは、トナーカートリッジ７がプロセスユニット１に装着された状態でこれらを一体的に装置本体１００の後方（側方）から着脱可能となっている。更に、トナーカートリッジ７は、プロセスユニット１が装置本体１００に装着された状態と取り外された状態とのいずれにおいても、プロセスユニット１に対して着脱可能となっている。
【００２１】
図３は、上述した画像形成装置に備えられる現像装置４の概略構成を示した断面図である。
【００２２】
図３を参照すれば、現像装置４は、現像ハウジング３０と、トナーを担持する現像剤担持体としての現像ローラ３１と、を備える。また、現像装置４は、現像ローラ３１にトナーを供給する現像剤供給部材としての供給ローラ３２と、現像ローラ３１上に担持されたトナー量を規制する規制部材としての現像ブレード３３と、を備える。更に、現像装置４は、トナーを搬送する第１トナー搬送部材３４及び第２トナー搬送部材３５を備える。
【００２３】
現像ローラ３１は、図３中において反時計回りの方向に回転し、表面に保持したトナーを現像ブレード３３及び感光体２との対向位置へと搬送する。供給ローラ３２は、現像ローラ３１に当接しており、現像ローラ３１に対して反時計回りに回転することにより、現像装置４内のトナーを現像ローラ３１の表層まで供給する。因みに、ここでは現像ローラ３１と供給ローラ３２との回転数比を１に設定することで、良好なトナー供給機能を確保している。現像ブレード３３は、その先端側が現像ローラ３１の表面に当接している。供給ローラ３２によって現像ローラ３１上に供給されたトナーは、現像ローラ３１と現像ブレード３３とのニップ部を通過することにより、厚さが規制されると同時に摩擦荷電させられる。
【００２４】
現像装置４の上部には、補給用のトナーを収容するトナーカートリッジ７が着脱可能に装着されている。このため、現像装置４の上部には、トナーカートリッジ７内のトナーを現像装置４内へ補給するための補給口３０ａが形成されている。トナーの補給は、残量検知手段としての残量検知センサ６０による現像装置４内のトナーの残量の検知結果に基づいて行われる。即ち、現像装置４内でトナー消費されてトナー量が所定値以下になったことを残量検知センサ６０によって検知すると、予め設定されている時間だけトナーカートリッジ７が駆動される。これにより、所定量のトナーが現像装置４へ補給される。この際、画像形成装置に備えられる制御手段としての制御装置が残量検知センサ６０で検知されたトナーの残量に基づいて予め設定した残量下限値及び残量上限値に応じて駆動機構の駆動量を調節する。この結果、貯蔵部のトナーカートリッジ７から現像装置４内へのトナーの補給量が制御される。
【００２５】
現像ハウジング３０の内部は、現像ローラ３１の軸方向とほぼ平行に配設された仕切り壁３６により補給口３０ａを配設した第１収容部Ａと、現像ローラ３１や現像ブレード３３等の現像手段を配設した第２収容部Ｂと、に分割されている。ここでは、仕切り壁３６が上下方向に立設しており、第１収容部Ａと第２収容部Ｂとが水平方向に隣接して配設されている。第１収容部Ａ内には、第１トナー搬送部材３４が配設され、第２収容部Ｂ内には第２トナー搬送部材３５が配設される。尚、現像装置４及びトナーカートリッジ７とは、一体化された構成であっても良い。
【００２６】
図４は、図３に示した現像装置４の軸と直交する方向から見た概略図である。
【００２７】
図４を参照すれば、現像ハウジング３０の内部における仕切り壁３６の長手方向の少なくとも両端側には現像装置４内における第１収容部Ａと第２収容部Ｂとでトナーの移動が可能なように開口部４２、４３が開口されている。現像装置４内に補給されたトナーは、第１収容部Ａに設置した第１トナー搬送部材３４によって現像ローラ３１の軸方向における一方側に搬送される。この後、搬送方向下流側の開口部４２、４３からトナーは第２収容部Ｂに移動し、第２収容部Ｂに設けた第２トナー搬送部材３５によって、第１トナー搬送部材３４による搬送方向の逆方向に搬送される。
【００２８】
第２トナー搬送部材３５の下流側では、仕切り壁３６の開口部４２、４３によって第２収容部Ｂにトナーが移動可能となり、現像装置４内のトナーを長手方向に循環可能となっている。トナーの搬送速度は、第１トナー搬送部材３４及び第２トナー搬送部材３５の構成で制御することができる。スクリュー部材を使用する場合、トナーの搬送速度は、スクリューピッチに比例して大きくなる。これはスクリューの１回転当たりに搬送するトナー量が多くなるためであるが、スクリュー径を大きくする等の手法によってもトナーの搬送速度を制御できる。
【００２９】
第１トナー搬送部材３４及び第２トナー搬送部材３５は、ギアやカップリング等から成る駆動伝達部材４６により装置本体１００等に設置した駆動源から駆動を伝達できる構造となっている。現像装置４内のトナーは、現像ローラ３１にトナーを供給可能なスポンジ等で構成される供給ローラ３２によって現像ローラ３１に対してトナーを移動することができる。駆動伝達部材４６は、制御装置によって駆動制御される駆動機構に含まれる。
【００３０】
図５は、上述した画像形成装置に備えられるトナーカートリッジ７の概略構成を示した断面図である。
【００３１】
図５を参照すれば、トナーカートリッジ７のトナー補給容器５０内では、充填されたトナーを回転軸５３に固定されたアジテータ５２を回転することで流動性を確保しつつ、トナー搬送部５１の方向へ供給するように構成されている。アジテータ５２は、例えばＰＥＴフィルム等の可撓性材料で構成する場合を例示できる。トナー補給容器５０内のトナーを使い切るため、トナー補給容器５０の形状はアジテータ５２の回転起動に合わせて円弧形状にすることが望ましい。トナー搬送部５１は、スクリューやコイル等で形成された部材を装置本体１００に設置した駆動源により回転することでトナー補給容器５０内のトナーを回転軸５３の軸方向に送る。この駆動源についても、制御装置によって駆動制御される駆動機構に含まれる。
【００３２】
トナー搬送部５１では、部材のピッチ径、大きさ、回転速度等でトナーの搬送量を制御し、現像装置４内に設置した残量検知センサ６０でトナー不足を検知する。また、トナー搬送部５１では、回転動作を開始して残量検知センサによりトナー充填が確認された場合、駆動を止めて現像装置４内のトナー量を安定化する等、周知技術を用いて制御することが好ましい。
【００３３】
図６は、上述した現像装置４に設けられた残量検知センサ６０の概略構成を一部断面にして示した斜視図である。
【００３４】
図６を参照すれば、ここでは現像装置４内のトナーの残量を検知する残量検知センサ６０として、光学式センサを使用する場合を例示している。この残量検知センサ６０は、発光センサ、透明度の高い樹脂材料等から成る第１の光ガイド６２及び第２の光ガイド６３、受光センサから構成される。この残量検知センサ６０において、現像装置４の本体側面部に取り付けた発光センサにより照射された光は、現像装置４の本体側面部に配置した第１の光ガイド６２の入口から入射されて第１の光ガイド６２の本体を伝達して現像装置４の内部に導かれる。現像装置４の内部に導かれた光は、第１の光ガイド６２の出口から現像装置４の内部空間を介して第２の光ガイド６３の入口に入射されて第２の光ガイド６３の本体を伝達して現像装置４の外部に導かれる。その後、現像装置４の外部に導かれた光は、第２の光ガイド６３の出口近傍となる現像装置４の本体側面部に取り付けた受光センサで受光される。受光センサでは、受光した光量を電圧に変換して光の有無を検出する。
【００３５】
この残量検知センサ６０の場合、トナー残量検知の実施時に受光センサに電圧を印加することで発光を制御し、受光センサの出力によって現像装置４における内部空間のトナーの存在を検出することが可能となっている。但し、第１の光ガイド６２の出口と第２の光ガイド６３の入口との間にトナーや異物等が付着していると、残量検知時に伝達光を遮光してしまい、誤検知の原因となる。そこで、第１トナー搬送部材３４の残量検知箇所には、スクリューの回転軸にシート材等の清掃部材６１を貼り付け、スクリューの回転軸の回転周期で光伝達経路での付着物を除去できる清掃機構を設けることが望ましい。
【００３６】
いずれにしても、現像装置４内のトナー残量を検知する残量検知センサ６０によるトナーの残量の検知結果は制御装置へ送られる。画像形成装置には、予めトナー残量を消費量としてカウントするカウンタが備えられている。そこで、制御装置はトナーの残量に基づいて予め設定した残量下限値及び残量上限値に応じて駆動機構の駆動量を調節し、トナーカートリッジ７から現像装置４へのトナー補給量を制御する。このとき、制御装置は、トナーカートリッジ７の新品を検出したときに新たなトナーを現像装置４へ補給する際、新たなトナーの補給量をカウンタのカウント値のみに基づいて段階的に制御する。
【００３７】
図７は、上述した画像形成装置に備えられる制御装置によるトナー補給制御の概要を比較例と対比して時間ｔに対するトナー量の関係で示した特性図である。
【００３８】
図７を参照すれば、比較例の特性Ｃ１では、新品のトナーカートリッジ７の交換後に新たなトナーの補給が一括に行われる。ここでは、トナー量が検知下限から急峻な傾きで検知上限へ短時間で到達するように現像装置４内にトナー補給されるため、これに起因して地肌汚れや縦帯スジが発生する虞がある。
【００３９】
これに対し、実施の形態に係る特性Ｃ２では、新品のトナーカートリッジ７の交換後の新たなトナー補給の補給量がカウント値のみに基づいて緩やかな傾きで段階的に行われる。なお、「カウント値」とは、以後に詳述する画像形成時の画素数に対応するドット数をカウントするドットカウンタや、現像器の走行距離から算出可能な地肌汚れ(白紙部に微量のトナーが現像する現象)の消費量カウンタ、トナー吐き出し制御時のトナー吐き出し量カウンタなどを含む。トナー検知上限に達するまでは、トナーが一括に補給されるのではなく、このカウント値のみによってトナー消費量が計算され、トナー消費量に対応する量のトナーが徐々に補給される。「段階的に」とは、複数回に分けて、トナー消費量に対応するトナー量が補給されることを示す。トナーがカウント値に基づいて段階的に補給され、残量検知センサ６０によって現像装置４内のトナー量の上限が検知された後は、カウント値と現像装置４内に備えられた残量検知センサ６０とにより、現像装置内のトナー量が検出され、トナーカートリッジ７から現像装置４へのトナー補給量を制御される。この結果、新品のトナーカートリッジ７へと交換した後に新たなトナーがトナーカートリッジ７から現像装置４内に一括補給されず、これに起因する地肌汚れや縦帯スジの発生が十分に抑制される。また、制御装置は、残量下限値が所定の回数続いたとき、例えば画像形成装置の表示部を警告手段としてトナーカートリッジ７の新品交換を警告表示する指示を行う。或いは音声によりアナウンス警告することも可能である。この結果、画像形成装置の使用者（ユーザ）がトナーカートリッジ７を交換する時期を明確に把握できるようになる。
【００４０】
図８は、上述した画像形成装置に備えられる制御装置によるトナー補給制御の動作処理を示すフローチャートである。但し、ここでは例えば予めトナー残量を消費量としてカウントするカウンタが画像形成装置に備えられているものとする。
【００４１】
図８を参照すれば、トナー補給制御の動作処理では、まず制御装置がトナーカートリッジ７の新品を検出したか否かの判定（ステップＳ１）を行う。この判定の結果、新品を検出していなければ、後文で説明する通常補給処理（ステップＳ２）へ移行する。これに対し、新品を検出していればトナー消費量をカウンタのカウント値Ｃｔにより推定（ステップＳ３）する。因みに、通常トナーカートリッジ７の新品を検出した時点は、トナーエンド後（トナー切れ後）であると想定されるため、現像装置４内のトナー量は残量下限値を示す場合が多くなる。
【００４２】
次に、制御装置は、残量検知センサによる現像装置４内のトナー残量の検知結果に基づいてトナー残量は残量上限値か否かの判定（ステップＳ４）を行う。この判定の結果、残量上限値であれば、新品のトナーカートリッジ７から新たなトナーの通常補給（ステップＳ５）を行ってから動作処理を終了する。この通常補給（ステップＳ５）は、トナー補給量の通常値Ｎ１がトナー消費量に相当するカウント値Ｃｔと等しいか、それを超過している条件に該当する。また、残量上限値でなければ（残量下限値又はそれと残量上限値との中間の残量中間値であれば）、新品のトナーカートリッジ７から新たなトナーの段階補給（ステップＳ６）を行う。その後はトナー消費量をカウンタのカウント値Ｃｔにより推定（ステップＳ３）する処理に戻ってそれ以降の動作処理を繰り返す。
【００４３】
上述した段階補給（ステップＳ６）は、トナー補給量の下限値から上限値までの範囲値Ｎ２がトナー補給量の通常値Ｎ１を超過しており、且つトナー補給量の通常値Ｎ１がトナー消費量に相当するカウント値Ｃｔと等しいか、それを超過している条件に該当する。即ち、ここではトナー残量が残量下限値から残量上限値へ移行するまでの間に新たなトナーの補給量をカウンタのカウント値Ｃｔよりも多く補給する。それ故、トナー補給量の下限値から上限値までの範囲値Ｎ２がカウント値Ｃｔよりも大きい条件を想定している。このようにして、段階補給（ステップＳ６）をトナー残量検知状態が残量上限値になるまで繰り返した後に動作処理を終了する。
【００４４】
因みに、トナー補給量の下限値から上限値までの範囲値Ｎ２がカウント値Ｃｔよりも小さければ、消費量に対して補給量が追いつかず、新品のトナーカートリッジ７に交換したにも拘らず早期にトナーエンド検知が発生してしまう。また、トナー補給量の下限値から上限値までの範囲値Ｎ２がカウント値Ｃｔよりも過大であれば、新品のトナーカートリッジ７からの新たなトナーの補給量が過剰でトナー搬送量の過剰状態となり、これに起因して画像形成時に縦帯スジが発生してしまう。
【００４５】
図９は、図８に示す動作処理に含まれる通常補給処理（ステップＳ２）の細部を示すフローチャートである。
【００４６】
図９を参照すれば、ここでは、まずトナーカートリッジ７の新品が検出された場合と同様に、制御装置がトナー消費量をカウンタのカウント値Ｃｔにより推定（ステップＳ２１）する。この後、制御装置は残量検知センサによる現像装置４内のトナー残量の検知結果に基づいてトナー残量は残量中間値か否かの判定（ステップＳ２２）を行う。この判定の結果、トナー残量中間値であれば、トナー消費量に相当するカウンタのカウント値に応じてトナーを補給（ステップＳ２３）してから動作処理を終了する。この補給（ステップＳ２３）の処理は、トナー補給量の上限値Ｎ３がトナー補給量の通常値Ｎ１を超過している条件下に該当する。
【００４７】
因みに、トナー補給量の上限値Ｎ３がカウント値Ｃｔよりも小さければ、消費量に対して補給量が追いつかず、早期にトナーエンド検知が発生してしまう。また、トナー補給量の上限値Ｎ３がカウント値Ｃｔよりも過大であれば、トナーの補給量が過剰でトナー搬送量の過剰状態となり、これに起因して画像形成時に縦帯スジが発生してしまう。
【００４８】
更に、トナー残量は残量中間値か否かの判定（ステップＳ２２）の結果、残量中間値でなければ、制御装置は、残量下限値の検知回数が所定回数ｎか否かの判定（ステップＳ２４）を行う。この判定の結果、残量下限値の検知回数が所定回数ｎに到達していなければ、先の補給（ステップＳ２３）の処理に移行してから動作処理を終了する。これに対し、残量下限値の検知回数が所定回数ｎに到達していれば、制御装置は、画像形成装置の表示部に対してトナーエンド表示（ステップＳ２５）してから動作処理を終了する。
【００４９】
上述した実施の形態に係る画像形成装置において、図２を参照して説明したようにプロセスユニット１とトナーカートリッジ７とを装置本体１００に着脱できるように一部構造を改造した。プロセスユニット１の駆動は、作像駆動モータと連結させ、トナーカートリッジ７の駆動は、プロセスユニット１の駆動源をクラッチによりトナーカートリッジ７との連結を可能にした。また、必要に応じて駆動源とトナーカートリッジ７の駆動ギアとを連結することでトナーカートリッジ７から現像装置４内へのトナー補給を可能とする構成にした。但し、トナーカートリッジ７、現像装置４、残量検知センサ６０を含んで構成されるプロセスユニット１、カウンタ、及び制御装置を含む要部に係る構成は、現像剤補給制御システムとみなすことができる。
【００５０】
トナーの作製には、トナー材料として、軟化点１３０℃のポリエステル樹脂を５５部、軟化点１０４℃のポリエステル樹脂を３５部、カーボンブラックを６部、ワックス（パラフィンワックス）を３部、ＣＣＡ（Ｅ−８４）を１部用いた。尚、ＣＣＡは電荷制御剤（Ｃｈａｒｇｅ  Ｃｏｎｔｒｏｌ  Ａｇｅｎｔ）の略記である。これらのトナー材料をヘンシェルミキサーで十分混合した後、二軸押出し混練機の排出部を取り外したものを使用して溶融混練し、得られた混合物を冷却プレスローラで厚さ２ｍｍに圧延し、冷却ベルトで冷却した後、フェザーミルで粗粉砕した。その後、機械式粉砕機で平均粒径１０〜１２μｍまで粉砕し、更にジェット粉砕機で粗粉分級しながら粉砕した後、微粉分級をローター型分級機を使用して分級を行い、体積平均粒径６μｍ、平均円形度０．９２５のトナー母体を得た。
【００５１】
加えて、このトナー母体の１００部に疎水性シリカＴＳ−５００を１部、疎水シリカＲＹ５０を２部添加し、２０Ｌヘンシェルミキサーで周速３０ｍ／ｓｅｃで５分間混合処理した。その後、目開き７５μｍの篩で篩って粉砕トナーを得た。粉砕トナーの粒径は６μｍ、平均円形度は０．９２６であった。
【００５２】
そこで、係る粉砕トナー及び改造した画像形成装置（プリンタ）を用いて上述した制御装置によるトナー補給制御を行わせ、トナー補給量の異なる条件下で用紙Ｐの白紙１枚間欠通紙を１０万枚行い、画像形成上で縦帯スジの発生有無を調べた結果を表１に示す。
【００５３】
【表１】
2019032379.tif 000003
【００５４】
表１からは、実施例１及び実施例２に係る画像形成装置における制御装置によるトナー補給制御によれば、画像形成上で縦帯スジが発生せず、問題のない画像が得られて評価が合格であることが判る。これに対し、比較例１及び比較例２に係る画像形成装置における制御装置によるトナー補給制御によれば、画像形成上で縦帯スジが発生し、問題ある画像が得られて評価が失格であることが判る。トナーが粉砕トナーの場合、粒径が大きく更に形状が不定形なことから粒径選別が起こり易く、新たなトナーと劣化したトナーとの差が大きくなるため、縦帯スジ（縦帯）がトナー補給時に発生し易いという問題を改善する効果が大きい。このような差異は、制御装置による粉砕トナーの補給量の段階的な制御をどのように行わせるかによるものと類推できる。
【００５５】
図８及び図９を参照して説明したトナー補給制御では、トナーの残量を消費量としてカウントするカウンタを備え、制御装置で新たなトナーの補給量の段階的な制御をカウンタのカウント値のみに基づいて行う場合を説明した。また、制御装置は、トナーの残量が残量下限値から残量上限値へ移行するまでの間に新たなトナーの補給量をカウンタのカウント値よりも多く補給する場合を説明した。この補給制御は、トナーカートリッジ７の新品の検知状態からトナーの残量が残量上限値へ移行するまでの間に新たなトナーの補給量をカウンタのカウント値よりも多く補給する場合を含んでいるとみなせる。こうした場合、現像装置４でのトナー消費量よりも多い量のトナー補給を行うことにより現像装置４内のトナー喫水面を残量上限値のレベルまで段階的に持ち上げることができる。
【００５６】
ところで、上述したカウンタは、トナー及び新たなトナーを用いた画像形成に供される記録媒体である用紙Ｐの枚数をカウントする枚数カウンタであっても良い。こうした場合、用紙Ｐの枚数に応じてトナー消費量を算出することにより、制御の簡素化が図られ、コストを安価に抑えることができる。また、カウンタは、用紙Ｐを搬送する搬送機構における走行距離をカウントする走行距離カウンタであっても良い。この場合には、搬送機構における走行距離に応じてトナー消費量を算出することにより、制御の簡素化が図られ、コストを安価に抑えることができる。更に、カウンタは、トナー及び新たなトナーを用いた画像形成時の画素数に対応するドット数をカウントするドットカウンタであっても良い。この場合、精度良くトナー消費量を見積もることができる。
【００５７】
加えて、実施の形態に係る画像形成装置の現像剤補給制御システムにおいて、制御装置は、トナーの残量が残量上限値に至ると新たなトナーの補給量をカウンタのカウント値よりも少なく補給しても良い。ここでは、現像装置４でのトナー喫水面が残量上限値に到達した後はトナー補給量を減らし、トナーカートリッジ７内にトナーがある場合に常に現像装置４内のトナー量が満杯になる様にする。これにより、一度に大量のトナーを補給する回数を減らすことができる。
【００５８】
その他、制御装置は、トナーの残量が残量上限値から残量下限値へ移行するまでの間に新たなトナーの補給量をカウンタのカウント値よりも多く補給しても良い。ここでは、現像装置４内のトナー量が満杯でなくて少なくなった際、トナーの補給量を増やして満杯状態にする。これにより、一度に大量のトナーを補給する機会を減らすことができる。
【００５９】
上述した現像剤補給制御システムに係る基本機能は、現像剤としてのトナーを貯蔵する貯蔵部からトナーを現像装置４へ補給する際に制御手段がトナーの補給量を制御可能な現像剤補給制御方法として換言できる。この現像剤補給制御方法は、残量検知手段によって、現像装置４内のトナーの残量を検知する残量検知ステップと、カウンタによって、トナーの消費量をカウントするカウントステップと、を有する。また、この現像剤補給制御方法は、制御手段によって実行される補給量制御ステップを有する。補給量制御ステップでは、貯蔵部の交換により新たなトナーが現像装置４へ補給されるとき、新たなトナーの補給量をカウンタのカウント値のみに基づいて段階的に制御する。
【００６０】
尚、本発明は上述した実施の形態や各実施例で開示した主旨に限定されず、その技術的要旨を逸脱しない範囲で種々の変形が可能であり、特許請求の範囲に記載された技術思想に含まれる技術的事項の全てが本発明の対象となる。上記実施の形態や各実施例は、好適な例を示したが、当業者であれば、開示した内容から様々な変形例を実現可能であるが、これらは添付した特許請求の範囲に記載された技術的範囲に含まれる。
【符号の説明】
【００６１】
１  プロセスユニット
２  感光体
３  帯電ローラ
４  現像装置
５  クリーニングブレード
６  発光ダイオード（ＬＥＤ）ヘッドアレイ
７  トナーカートリッジ
８  トナー収容部
９  トナー回収部
１０  転写装置
１１  給紙装置
１２  定着装置
１３  排紙装置
１４  転写ローラ
１５  給紙カセット
１６  給紙ローラ
１７  レジストローラ
１８  定着ローラ
１９  加圧ローラ
２０  排紙ローラ
２１  排紙トレイ
２２  容器本体
３０  現像ハウジング
３０ａ  補給口
３１  現像ローラ
３２  供給ローラ
３３  現像ブレード
３４  第１トナー搬送部材
３５  第２トナー搬送部材
３６  仕切り壁
４２、４３  開口部
４６  駆動伝達部材
５０  トナー補給容器
５１  トナー搬送部
５２  アジテータ
５３  回転軸
６０  残量検知センサ
６１  清掃部材
６２  第１光ガイド
６３  第２光ガイド
１００  装置本体
１０１  カバー
Ａ  第１収容部
Ｂ  第２収容部
Ｐ  用紙
【先行技術文献】
【特許文献】
【００６２】
【特許文献１】特許第４６２３４９６号公報
【図１】
2019032379.tif 000004
【図２】
2019032379.tif 000005
【図３】
2019032379.tif 000006
【図４】
2019032379.tif 000007
【図５】
2019032379.tif 000008
【図６】
2019032379.tif 000009
【図７】
2019032379.tif 000010
【図８】
2019032379.tif 000011
【図９】
2019032379.tif 000012